(57)【要約】【課題】アイドリングストップからの復帰時の車両挙動安定性を向上させる車両用制御装置を提供する。【解決手段】所定の移行条件が成立するとエンジンを停止させるアイドリングストップ状態に移行させると共に、所定の復帰条件が成立すると前記アイドリングストップ状態を解除して前記エンジンを始動させるアイドリングストップ制御部３１と、車両挙動を安定化させる車両挙動安定制御部４０と、車両挙動安定制御部４０の作動状態と非作動状態を運転者の操作により選択可能な車両挙動安定制御選択部１１と、を備え、車両挙動安定制御部４０が非作動状態の場合、復帰条件が成立すると、車両挙動安定制御部４０が作動状態になる。【選択図】図２
2014201275.tif 000002
【特許請求の範囲】
【請求項１】
所定の移行条件が成立するとエンジンを停止させるアイドリングストップ状態に移行させると共に、所定の復帰条件が成立すると前記アイドリングストップ状態を解除して前記エンジンを始動させるアイドリングストップ制御部と、
車両挙動を安定化させる車両挙動安定制御部と、
前記車両挙動安定制御部の作動状態と非作動状態を運転者の操作により選択可能な車両挙動安定制御選択部と、を備え、
前記車両挙動安定制御部が非作動状態の場合に、前記復帰条件が成立すると、前記車両挙動安定制御部が作動状態になる
ことを特徴とする車両用制御装置。
【請求項２】
前記車両挙動安定制御部が非作動状態の場合に、前記復帰条件が成立すると、所定時間前記車両挙動安定制御部が作動状態になる
ことを特徴とする請求項１に記載の車両用制御装置。
【請求項３】
所定の移行条件が成立するとエンジンを停止させるアイドリングストップ状態に移行させると共に、所定の復帰条件が成立すると前記アイドリングストップ状態を解除して前記エンジンを始動させるアイドリングストップ制御部と、
車両挙動を安定化させる車両挙動安定制御部と、
前記車両挙動安定制御部の作動状態と非作動状態を運転者の操作により選択可能な車両挙動安定制御選択部と、を備え、
前記車両挙動安定制御部が非作動状態の場合に、前記移行条件が成立すると、前記車両挙動安定制御部が作動状態になる
ことを特徴とする車両用制御装置。
【請求項４】
前記作動状態において、
前記復帰条件が成立すると、所定時間経過後に前記車両挙動安定制御部が非作動状態になる
ことを特徴とする請求項３に記載の車両用制御装置。
【請求項５】
所定の移行条件が成立するとエンジンを停止させるアイドリングストップ状態に移行させると共に、所定の復帰条件が成立すると前記アイドリングストップ状態を解除して前記エンジンを始動させるアイドリングストップ制御部と、
車両挙動を安定化させる車両挙動安定制御部と、
前記車両挙動安定制御部の作動状態と非作動状態を運転者の操作により選択可能な車両挙動安定制御選択部と、を備え、
前記車両挙動安定制御部が非作動状態の場合に、前記エンジンが前記アイドリングストップ状態のとき、前記車両挙動安定制御部が作動状態になる
ことを特徴とする車両用制御装置。
【請求項６】
前記作動状態において、
前記アイドリングストップ状態が解除されると、所定時間経過後に前記車両挙動安定制御部が非作動状態になる
ことを特徴とする請求項５に記載の車両用制御装置。
【発明の詳細な説明】
【技術分野】
【０００１】
本発明は、車両用制御装置に係り、特に、車両の挙動を安定化させる車両挙動安定化制御部と、車両に搭載されたエンジンのアイドリングストップ制御を行うアイドリングストップ制御部と、を備える車両用制御装置に関する。
【背景技術】
【０００２】
従来、燃料の節約、エミッションの低減、及び、騒音の低減を目的として、予め設定される停止条件（例えば、車速がゼロでブレーキオン）を充足すると、車両に搭載されたエンジンを停止させる制御を行うアイドリングストップ制御部を備える車両用制御装置が知られている。
【０００３】
また、各車輪の制動力を制御する電子制御制動力配分システム（Electronic Brake force Distribution；ＥＢＤ）、車輪のロックを防止して制動距離を短縮するアンチロック・ブレーキ・システム（Antilock Brake System；ＡＢＳ）、タイヤの空転を防止するトラクションコントロールシステム（Traction Control System；ＴＣＳ）などを統合した車両挙動安定制御（Vehicle Stability Assist；ＶＳＡ（登録商標））装置を備える車両用制御装置が知られている。なお、例えば、スポーツ走行のために、車両挙動安定制御のＯＮ（作動）とＯＦＦ（停止）を切り替えるためのスイッチがドライバ（運転者）に操作可能な位置に設けられているものがある。
【０００４】
車両の挙動とアイドリングストップ制御に関連して、特許文献１には、エンジン停止制御手段（アイドリングストップ制御部）は、エンジンの作動中に車両の挙動が不安定状態と判定された場合、自動停止条件を満たさないとしてエンジンの停止を回避することを特徴とする車両駆動制御装置が開示されている。
【先行技術文献】
【特許文献】
【０００５】
【特許文献１】国際公開第２０１０／１２８５３９号
【発明の概要】
【発明が解決しようとする課題】
【０００６】
従来のアイドリングストップ制御は停車中のみ作動し、ブレーキペダルを放した時や、アクセルペダルを踏み込んだ時にエンジンが再始動するようになっている。
【０００７】
ところで、従来のアイドリングストップ制御よりも燃料の節約等をするために、低速走行中からも所定の条件を充足すればアイドリングストップ制御を開始する制御が考えられる。このようなアイドリングストップ制御において、低速走行中にエンジンを停止してアイドリングストップ状態に移行すると、アクセルペダルを踏み込んでもすぐには加速せず、エンジンが再始動してアイドリングストップ状態から復帰した後に加速する。
【０００８】
この様なアイドリングストップ制御において、低速走行中にエンジンを停止（アイドリングストップ）しても、ドライバ（運転者）がアイドリングストップ状態の認識をしていない場合がある。この場合、ドライバは、アクセルペダルを踏み込んでも加速しないことから、アクセルペダルを更に踏み込むような動作をすることが考えられる。
【０００９】
そして、アイドリングストップ状態から復帰してエンジンが再始動すると、更に踏み込まれたアクセルペダルの踏み込み量に応じてエンジンが動作する。この際に、車両挙動安定制御の作動を切り替えるスイッチがＯＦＦ（停止）となっていると、タイヤが空転するなど車両の挙動が不安定状態となるおそれがある。
【００１０】
なお、車両挙動安定制御を切り替えるスイッチがＯＦＦ（停止）となっていても、車両の挙動が一定以上不安定状態となると、スイッチのＯＮ／ＯＦＦにかかわらず、車両挙動安定制御をＯＮ（作動）させる制御がある。しかし、このような制御では、車両の挙動が不安定状態となる前に予め車両挙動安定制御をＯＮ（作動）させることはできなかった。
【００１１】
そこで、本発明は、アイドリングストップからの復帰時の車両挙動安定性を向上させる車両用制御装置を提供することを課題とする。
【課題を解決するための手段】
【００１２】
このような課題を解決するために、本発明に係る車両用制御装置は、所定の移行条件が成立するとエンジンを停止させるアイドリングストップ状態に移行させると共に、所定の復帰条件が成立すると前記アイドリングストップ状態を解除して前記エンジンを始動させるアイドリングストップ制御部と、車両挙動を安定化させる車両挙動安定制御部と、前記車両挙動安定制御部の作動状態と非作動状態を運転者の操作により選択可能な車両挙動安定制御選択部と、を備え、前記車両挙動安定制御部が非作動状態の場合に、前記復帰条件が成立すると、前記車両挙動安定制御部が作動状態になることを特徴とする。
【００１３】
このような構成によれば、車両挙動安定制御部が非作動状態の場合であっても、アイドリングストップ状態からの復帰時に車両挙動安定制御部を作動状態とすることができるので、車両挙動安定性を向上させることができる。
【００１４】
また、前記車両用制御装置は、前記車両挙動安定制御部が非作動状態の場合に、前記復帰条件が成立すると、所定時間前記車両挙動安定制御部が作動状態になることが好ましい。
【００１５】
このような構成によれば、所定時間経過後に、車両挙動安定制御部が、車両挙動安定制御選択部で選択された非作動状態となるので、ドライバ（運転者）が所望するスポーツ走行を行うことができる。
【００１６】
また、このような課題を解決するために、本発明に係る車両用制御装置は、所定の移行条件が成立するとエンジンを停止させるアイドリングストップ状態に移行させると共に、所定の復帰条件が成立すると前記アイドリングストップ状態を解除して前記エンジンを始動させるアイドリングストップ制御部と、車両挙動を安定化させる車両挙動安定制御部と、前記車両挙動安定制御部の作動状態と非作動状態を運転者の操作により選択可能な車両挙動安定制御選択部と、を備え、前記車両挙動安定制御部が非作動状態の場合に、前記移行条件が成立すると、前記車両挙動安定制御部が作動状態になることを特徴とする。
【００１７】
このような構成によれば、車両挙動安定制御部が非作動状態の場合であっても、アイドリングストップ状態に移行させる際に車両挙動安定制御部を作動状態とし、アイドリングストップ状態からの復帰時にあらかじめ車両挙動安定制御部を作動状態とすることができるので、車両挙動安定性を向上させることができる。
【００１８】
また、前記車両用制御装置は、前記作動状態において、前記復帰条件が成立すると、所定時間経過後に前記車両挙動安定制御部が非作動状態になることが好ましい。
【００１９】
このような構成によれば、復帰条件が成立して所定時間経過後に、車両挙動安定制御部が、車両挙動安定制御選択部で選択された非作動状態となるので、ドライバ（運転者）が所望するスポーツ走行を行うことができる。
【００２０】
また、このような課題を解決するために、本発明に係る車両用制御装置は、所定の移行条件が成立するとエンジンを停止させるアイドリングストップ状態に移行させると共に、所定の復帰条件が成立すると前記アイドリングストップ状態を解除して前記エンジンを始動させるアイドリングストップ制御部と、車両挙動を安定化させる車両挙動安定制御部と、前記車両挙動安定制御部の作動状態と非作動状態を運転者の操作により選択可能な車両挙動安定制御選択部と、を備え、前記車両挙動安定制御部が非作動状態の場合に、前記エンジンが前記アイドリングストップ状態のとき、前記車両挙動安定制御部が作動状態になることを特徴とする。
【００２１】
このような構成によれば、車両挙動安定制御部が非作動状態の場合であっても、アイドリングストップ中に車両挙動安定制御部を作動状態とし、アイドリングストップ状態からの復帰時にあらかじめ車両挙動安定制御部を作動状態とすることができるので、車両挙動安定性を向上させることができる。
【００２２】
また、前記車両用制御装置は、前記作動状態において、前記アイドリングストップ状態が解除されると、所定時間経過後に前記車両挙動安定制御部が非作動状態になることが好ましい。
【００２３】
このような構成によれば、復帰条件が成立して所定時間経過後に、車両挙動安定制御部が、車両挙動安定制御選択部で選択された非作動状態となるので、ドライバ（運転者）が所望するスポーツ走行を行うことができる。
【発明の効果】
【００２４】
本発明によれば、アイドリングストップからの復帰時の車両挙動安定性を向上させる車両用制御装置を提供することができる。
【図面の簡単な説明】
【００２５】
【図１】本実施形態に係る車両用制御装置の周辺部を含むブロック構成図である。
【図２】作動状態判定部が実行する作動判定処理フローである。
【発明を実施するための形態】
【００２６】
以下、本発明を実施するための形態（以下「実施形態」という）について、適宜図面を参照しながら詳細に説明する。
【００２７】
図１は、本実施形態に係る車両用制御装置の周辺部を含むブロック構成図である。
本実施形態に係る車両用制御装置は、電動パワーステアリング（ＥＰＳ）制御装置２０と、エンジン制御装置３０と、車両挙動安定制御装置４０と、該車両挙動安定制御装置４０の車両挙動安定制御を作動させるか停止させるかをドライバが選択可能なスイッチ（ＶＳＡ ＯＮ／ＯＦＦ ＳＷ）１１と、を備え、例えばＣＡＮ（Controller Area Network）のような通信媒体１で通信可能に接続されている。
【００２８】
また、通信媒体１には、アクセルペダル（図示せず）の踏み込み量を検出するアクセルセンサ２と、ブレーキペダル（図示せず）が踏み込まれているか否かを検出するブレーキセンサ３と、操向ハンドル（図示せず）の操舵量のうち操舵トルクを検出する操舵トルクセンサ４と、操向ハンドルの操舵量のうち操舵角度を検出する操舵角センサ５と、自車両（図示せず）の速度（車速）を検出する車速センサ６と、自車両に生じているヨーレイトを検出するヨーレイトセンサ７と、自車両に生じている横加速度を検出する横加速度センサ８と、各種車載機器に電力を供給する車載バッテリ９の電源電圧を検出する電圧センサ１０と、が通信可能に接続されている。
【００２９】
ＥＰＳ制御装置２０は、操舵トルクセンサ４により検出される操舵トルク信号、操舵角センサ５により検出される操舵角信号、車速センサ６により検出される車速信号などの各種信号を参照して、電動パワーステアリング（ＥＰＳ）が発揮する操向ハンドル（図示せず）の操舵補助力を制御する機能を有する。ＥＰＳ制御装置２０は、演算処理を行うマイクロコンピュータ及び各種周辺回路を含んで構成される。
【００３０】
また、ＥＰＳ制御装置２０は、所定の条件を充足すると、エンジンのアイドリングストップを許可するＩＳ許可要求や、エンジンの再始動を要求するＥｎｇ再始動要求を、通信媒体１を介してエンジン制御装置３０（ＩＳ制御部３１）に指令するアイドリングストップ（ＩＳ）要求算出処理部２１を有している。
【００３１】
ＩＳ要求算出処理部２１は、操向ハンドル（図示せず）の操舵量（操舵トルク、操舵角、操舵速度）等に基づいて、ＩＳ許可要求やＥｎｇ再始動要求を出力する。例えば、アイドリングストップ中において、操向ハンドル（図示せず）の操舵量が所定の閾値以上となると、ＩＳ要求算出処理部２１はＥｎｇ再始動要求を出力する。また、エンジン駆動中において、操向ハンドル（図示せず）の操舵量が所定の閾値未満となると、ＩＳ要求算出処理部２１はＩＳ許可要求を出力する。なお、これらの閾値は異なっていてもよい。
【００３２】
エンジン制御装置３０は、アクセルペダル（図示せず）の踏み込み量を検出するアクセルセンサ２で検出したアクセル開度、車速センサ６で検出した車速に基づいて、エンジン（図示せず）に供給する燃料の燃料噴射量を制御するようになっている。エンジン制御装置３０は、演算処理を行うマイクロコンピュータ及び各種周辺回路を含んで構成される。
【００３３】
また、エンジン制御装置３０は、燃料の節約、エミッションの低減、及び、騒音の低減を狙って、予め設定される停止条件（移行条件）を充足すると、自車両に搭載されたエンジン（図示せず）を停止させる一方、エンジンの停止中に予め設定される再始動条件（復帰条件）を充足すると、エンジンを再始動させる制御を行うアイドリングストップ（ＩＳ）制御部３１を有している。また、エンジン制御装置３０は、車速情報取得部３２、電圧情報取得部３３を有している。
【００３４】
車速情報取得部３２は、通信媒体１を介して車速センサ６の車速信号を入力することにより、自車両の車速情報を取得する機能を有する。車速情報取得部３２で取得された車速情報は、ＩＳ制御部３１においてエンジン停止制御及びエンジン再始動制御を行う際に参照される。
【００３５】
電圧情報取得部３３は、通信媒体１を介して電圧センサ１０の電圧信号を入力することにより、車載バッテリ９の電源電圧情報を取得する機能を有する。電圧情報取得部３３で取得された車載バッテリ９の電源電圧情報は、ＩＳ制御部３１においてエンジン再始動制御を行う際に参照される。
【００３６】
ＩＳ制御部３１は、予め設定される停止条件を充足すると、自車両に搭載されたエンジンを停止させるエンジン停止制御を行う一方、エンジンの停止中に予め設定される再始動条件を充足すると、エンジンを再始動させるエンジン再始動制御を行う機能を有する。例えば、ＩＳ制御部３１は、アクセルペダル（不図示）の踏み込みなしで、車速が低車速（例えば、時速２Ｋｍ）であり、かつ、ブレーキペダル（不図示）が踏み込まれている場合に、エンジン停止の運転意図があるとみなしてエンジン停止制御を行う。
【００３７】
例えば、ＩＳ制御部３１は、ＩＳ要求算出処理部２１からＩＳ許可要求がされており、車速情報取得部３２により取得される車速が所定の車速情報に関する閾値未満である場合、停止条件を充足したと判定する。なお、車速情報に関する閾値は、自車両が停止しているとみなせる低車速（例えば、時速２Ｋｍ）が少なくとも予め設定される。また、この車速を例えば１０Ｋｍというように大きな値にしてもよい。これにより早くアイドリングストップ状態として省エネ化することができる。
【００３８】
一方、例えば、ＩＳ制御部３１は、ＩＳ要求算出処理部２１からＥｎｇ再始動要求を受けた場合、再始動条件を充足したと判定する。また、例えば、ＩＳ制御部３１は、アクセルセンサ２でアクセルペダル（不図示）の踏み込みを検知すると、再始動条件を充足したと判定する。
【００３９】
また、ＩＳ制御部３１（エンジン制御装置３０）は、エンジンの停止中（アイドリングストップ状態）において再始動条件（復帰条件）を充足すると、エンジンを再始動させるエンジン再始動制御を行うとともに、フラグ「ＩＳ＿ＯＮ＿ＦＬＧ＝１（ＯＮ）」を通信媒体１に出力するようになっている。なお、それ以外のタイミングでは、フラグ「ＩＳ＿ＯＮ＿ＦＬＧ＝０（ＯＦＦ）」を通信媒体１に出力するようになっている。
【００４０】
車両挙動安定制御装置４０は、車両挙動安定制御を作動させるか否かを判定する作動状態判定部４１と、作動状態判定部４１が車両挙動安定制御を作動させると判定した場合に車両挙動安定制御を実行する車両挙動安定制御部４２と、を備えている。
【００４１】
車両挙動安定制御部４２は、通信媒体１を介して得られる各種センサからの信号に基づいて、車両の挙動状態を判定し、各車輪の制動装置（図示せず）の制動力を個別に制御したり、エンジン（図示せず）の回転速度に制限をかける指令をエンジン制御装置３０に送信したりすることにより、車両の挙動を安定化させることができるようになっている。車両の挙動を安定化させる制御としては、電子制御制動力配分システム（ＥＢＤ）、アンチロック・ブレーキ・システム（ＡＢＳ）、トラクションコントロールシステム（ＴＣＳ）等があるが、これらについては公知であり詳細な説明を省略する。
【００４２】
図２を用いて、作動状態判定部４１が実行する作動判定処理について説明する。図２は、作動状態判定部４１が実行する作動判定処理フローである。
【００４３】
ここで、スイッチ（ＶＳＡ ＯＮ／ＯＦＦ ＳＷ）１１は、車両挙動安定制御を作動させるように選択されている場合、「ＶＳＡ＿ＡＣＴ＿ＦＬＧ＝１（ＯＮ）」を通信媒体１に出力するようになっており、車両挙動安定制御を停止させるように選択されている場合、「ＶＳＡ＿ＡＣＴ＿ＦＬＧ＝０（ＯＦＦ）」を通信媒体１に出力するようになっている。
【００４４】
ステップＳ１０１において、作動状態判定部４１は、フラグ「ＶＳＡ＿ＡＣＴ＿ＦＬＧ」がＯＮ（１）であるか否かを判定する。ＶＳＡ＿ＡＣＴ＿ＦＬＧ＝１（ＯＮ）である場合（Ｓ１０１・ＯＮ）、作動状態判定部４１の処理はステップＳ１０２に進む。ＶＳＡ＿ＡＣＴ＿ＦＬＧ＝１（ＯＮ）でない場合（Ｓ１０１・ＯＦＦ）、作動状態判定部４１の処理はステップＳ１０３に進む。
【００４５】
ステップＳ１０２において、作動状態判定部４１は、車両挙動安定制御を作動状態と判定し、車両挙動安定制御部４２の車両挙動安定制御を作動させる。そして、作動状態判定部４１の処理はステップＳ１０１に戻る。
【００４６】
ステップＳ１０３において、作動状態判定部４１は、フラグ「ＩＳ＿ＯＮ＿ＦＬＧ」がＯＮ（１）であるか否かを判定する。ＩＳ＿ＯＮ＿ＦＬＧ＝１（ＯＮ）である場合（Ｓ１０３・ＯＮ）、作動状態判定部４１の処理はステップＳ１０４に進む。ＩＳ＿ＯＮ＿ＦＬＧ＝１（ＯＮ）でない場合（Ｓ１０３・ＯＦＦ）、作動状態判定部４１の処理はステップＳ１０７に進む。
【００４７】
ステップＳ１０４において、作動状態判定部４１は、車両挙動安定制御を作動状態（一時復帰処理）と判定し、車両挙動安定制御部４２の車両挙動安定制御を作動させる。ステップＳ１０５において、作動状態判定部４１は、フラグ「ＶＳＡ＿ＲＥＳ＿ＦＬＧ＝１（ＯＮ）」とする。ステップＳ１０６において、作動状態判定部４１は、図示しないタイマをゼロリセットした後、スタートさせる。そして、作動状態判定部４１の処理はステップＳ１０１に戻る。
【００４８】
ステップＳ１０７において、作動状態判定部４１は、フラグ「ＶＳＡ＿ＲＥＳ＿ＦＬＧ」がＯＮ（１）であるか否かを判定する。ＶＳＡ＿ＲＥＳ＿ＦＬＧ＝１（ＯＮ）である場合（Ｓ１０７・ＯＮ）、作動状態判定部４１の処理はステップＳ１０８に進む。ＶＳＡ＿ＲＥＳ＿ＦＬＧ＝１（ＯＮ）でない場合（Ｓ１０７・ＯＦＦ）、作動状態判定部４１の処理はステップＳ１１３に進む。
【００４９】
ステップＳ１０８において、作動状態判定部４１は、タイマｔが所定の閾値時間ｔ0 以下か否かを判定する（ｔ≦ｔ0 ？）。タイマｔが閾値時間ｔ0 以下である場合（Ｓ１０８・Ｙｅｓ）、作動状態判定部４１の処理はステップＳ１０９に進む。タイマｔが閾値時間ｔ0 以下でない場合（Ｓ１０８・Ｎｏ）、作動状態判定部４１の処理はステップＳ１１０に進む。
【００５０】
ステップＳ１０９において、作動状態判定部４１は、車両挙動安定制御を作動状態（一時復帰処理継続）と判定し、車両挙動安定制御部４２の車両挙動安定制御を作動させる。そして、作動状態判定部４１の処理はステップＳ１０１に戻る。
【００５１】
ステップＳ１１０において、作動状態判定部４１は、車両挙動安定制御を非作動状態（停止処理）と判定し、車両挙動安定制御部４２の車両挙動安定制御を停止させる。ステップＳ１１１において、作動状態判定部４１は、フラグ「ＶＳＡ＿ＲＥＳ＿ＦＬＧ＝０（ＯＦＦ）」とする。ステップＳ１１２において、作動状態判定部４１は、図示しないタイマを停止させる。そして、作動状態判定部４１の処理はステップＳ１０１に戻る。
【００５２】
ステップＳ１１３において、作動状態判定部４１は、車両挙動安定制御を非作動状態と判定し、車両挙動安定制御部４２の車両挙動安定制御を停止させる。そして、作動状態判定部４１の処理はステップＳ１０１に戻る。
【００５３】
≪作用・効果≫
図２に示すように、ドライバ（運転者）がスイッチ（ＶＳＡ ＯＮ／ＯＦＦ ＳＷ）１１をＯＦＦとしていた場合でも（Ｓ１０１・ＯＦＦ）、エンジンの停止中（アイドリングストップ状態）からエンジンを再始動させるエンジン再始動制御を行う際、車両挙動安定制御を一時的に作動状態とすることができる（Ｓ１０３・ＯＮ、Ｓ１０４）。これにより、エンジン再始動時（アイドリングストップからの復帰時）の車両挙動安定性を向上させることができる。
【００５４】
また、一時的に作動状態とした車両挙動安定制御は、所定時間が経過すると制御の停止処理がされる（Ｓ１０８・Ｎｏ、Ｓ１１０）。これにより、ドライバ（運転者）がスイッチ（ＶＳＡ ＯＮ／ＯＦＦ ＳＷ）１１をＯＦＦとしていた場合、アイドリングストップ状態から復帰して所定の時間が経過すると、車両挙動安定制御を非作動状態とすることができるので、ドライバ（運転者）が所望するスポーツ走行を行うことができる。
【００５５】
＜変形例＞
なお、本実施形態に係る車両用制御装置は、上記実施形態の構成に限定されるものではなく、発明の趣旨を逸脱しない範囲内で種々の変更が可能である。
【００５６】
本実施形態に係る車両用制御装置は、図２のステップＳ１０１，Ｓ１０３〜Ｓ１０５に示すように、スイッチ１１がＯＦＦ（ＶＳＡ＿ＲＥＳ＿ＦＬＧ＝０）であって（Ｓ１０１・ＯＦＦ）、ＩＳ＿ＯＮ＿ＦＬＧ＝１（ＯＮ）である場合（Ｓ１０３・ＯＮ）、即ち、エンジンの停止中（アイドリングストップ状態）において再始動条件（復帰条件）を充足すると、車両挙動安定制御部４２の車両挙動安定制御を作動させる（一時復帰処理）（Ｓ１０４，Ｓ１０５）ものとして説明したが、これに限られるものではない。
【００５７】
例えば、スイッチ１１がＯＦＦ（ＶＳＡ＿ＲＥＳ＿ＦＬＧ＝０）であって、エンジンが動作中に、停止条件（移行条件）を充足すると、車両挙動安定制御部４２の車両挙動安定制御を作動させる（一時復帰処理）ものとしてもよい。
【００５８】
また、スイッチ１１がＯＦＦ（ＶＳＡ＿ＲＥＳ＿ＦＬＧ＝０）であって、アイドリングストップ中に、車両挙動安定制御部４２の車両挙動安定制御を作動させる（一時復帰処理）ものとしてもよい。
【００５９】
このように処理することにより、再始動条件（復帰条件）を充足してエンジンを再始動させるエンジン再始動制御を行う前に、あらかじめ車両挙動安定制御を一時的に作動状態とすることができる。これにより、エンジン再始動時（アイドリングストップからの復帰時）に、あらかじめ車両挙動安定制御を作動状態とすることができ、車両挙動安定性を向上させることができる。
【００６０】
また、本実施形態に係る車両用制御装置は、図２のステップＳ１０１，Ｓ１０３〜Ｓ１０６に示すように、スイッチ１１がＯＦＦ（ＶＳＡ＿ＲＥＳ＿ＦＬＧ＝０）であって（Ｓ１０１・ＯＦＦ）、ＩＳ＿ＯＮ＿ＦＬＧ＝１（ＯＮ）である場合（Ｓ１０３・ＯＮ）、即ち、エンジンの停止中（アイドリングストップ状態）において再始動条件（復帰条件）を充足すると、車両挙動安定制御部４２の車両挙動安定制御を作動させる（一時復帰処理）（Ｓ１０４，Ｓ１０５）とともに、タイマをスタートさせ（Ｓ１０６）、その後、作動状態を継続し（Ｓ１０１・ＯＦＦ、Ｓ１０３・ＯＦＦ、Ｓ１０７・ＯＮ、Ｓ１０８・Ｙｅｓ、Ｓ１０９）、タイマが所定の閾値時間ｔ0 を超えると（Ｓ１０８・Ｎｏ）、一時復帰した車両挙動安定制御部４２の車両挙動安定制御を停止させる（Ｓ１１０，Ｓ１１１）ものとして説明したが、これに限られるものではない。
【００６１】
例えば、スイッチ１１がＯＦＦ（ＶＳＡ＿ＲＥＳ＿ＦＬＧ＝０）であって、エンジンが動作中に、停止条件（移行条件）を充足すると、車両挙動安定制御部４２の車両挙動安定制御を作動させ（一時復帰処理）、エンジンを停止させる。そして、エンジンの停止中（アイドリングストップ状態）において再始動条件（復帰条件）を充足すると、タイマをスタートさせ（Ｓ１０６）、タイマが所定の閾値時間ｔ0 を超えると、一時復帰した車両挙動安定制御部４２の車両挙動安定制御を停止させるものとしてもよい。
【００６２】
また、スイッチ１１がＯＦＦ（ＶＳＡ＿ＲＥＳ＿ＦＬＧ＝０）であって、アイドリングストップ中に、車両挙動安定制御部４２の車両挙動安定制御を作動させる（一時復帰処理）。そして、エンジンの停止中（アイドリングストップ状態）において再始動条件（復帰条件）を充足すると、タイマをスタートさせ（Ｓ１０６）、タイマが所定の閾値時間ｔ0 を超えると、一時復帰した車両挙動安定制御部４２の車両挙動安定制御を停止させるものとしてもよい。
【００６３】
このように処理することにより、ドライバ（運転者）がスイッチ（ＶＳＡ ＯＮ／ＯＦＦ ＳＷ）１１をＯＦＦとしていた場合、アイドリングストップ状態から復帰して所定の時間が経過すると、車両挙動安定制御を非作動状態とすることができるので、ドライバ（運転者）が所望するスポーツ走行を行うことができる。
【００６４】
また、本実施形態に係る車両用制御装置は、エンジン停止中（アイドリングストップ状態）からエンジンを再始動させるエンジン再始動制御を行う際に、ＩＳ制御部３１（エンジン制御装置３０）が信号を出力し、それをトリガとして車両挙動安定制御を復帰させるものとして説明したがこれに限られるものではない。例えば、ＩＳ制御部３１（エンジン制御装置３０）は、エンジン動作またはエンジン停止（アイドリングストップ）を示す信号を送信し、作動状態判定部４１がその信号を監視して、エンジン停止の状態からエンジン動作の状態に切り替わることをトリガとして車両挙動安定制御を復帰させるものであってもよい。
【００６５】
また、ＩＳ制御部３１が、エンジン停止中（アイドリングストップ状態）からエンジンを再始動させた時から所定時間の間、作動状態判定部４１に車両挙動安定制御を実行するように指令する信号を送信するものとしてもよい。
【００６６】
また、作動状態判定部４１は、所定時間が経過すると一次復帰した車両挙動安定制御を停止させるものとして説明したが、これに限られるものではない。例えば、車両の挙動を監視して、車両挙動が安定していると判断した場合に車両挙動安定制御を停止させるものとしてもよい。
【００６７】
また、車両挙動安定制御として、電子制御制動力配分システム（ＥＢＤ）、アンチロック・ブレーキ・システム（ＡＢＳ）、トラクションコントロールシステム（ＴＣＳ）を例に挙げたが、これに限られるものではない。いずれか１つであってもよく、組み合せたものであってもよく、その他の車両挙動安定制御であってもよい。特に、タイヤの空転を防止するトラクションコントロールであることが好ましい。
【符号の説明】
【００６８】
１      通信媒体
２      アクセルセンサ
３      ブレーキセンサ
４      操舵トルクセンサ
５      操舵角センサ
６      車速センサ
７      ヨーレイトセンサ
８      横加速度センサ
９      車載バッテリ
１０    電圧センサ
１１    スイッチ（ＶＳＡ ＯＮ／ＯＦＦ ＳＷ）（車両挙動安定制御選択部）
２０    電動パワーステアリング（ＥＰＳ）制御装置
３０    エンジン制御装置
３１    アイドリングストップ（ＩＳ）制御部
３２    車速情報取得部
３３    電圧情報取得部
４０    車両挙動安定制御装置（車両挙動安定制御部）
４１    作動状態判定部
４２    車両挙動安定制御部
【図１】
2014201275.tif 000003
【図２】
2014201275.tif 000004